(57)【要約】      （修正有）【課題】ニット服の保存中に、相隣接するニット服間の摩擦による毛玉の発生を抑制するために、相隣接するニット服を分離させることができる保存ケースを提供する。【解決手段】ケース１２の頂端にはケース蓋１１がヒンジで連結され、前記ケースの中には左右に対称的な収納チャンバ１３が設置され、前記収納チャンバの中には十四組のトレイ１４がスライドできるように設置され、その中、前記トレイの中には距離広げチャンバが設置され、前記距離広げチャンバの中には隣接の前記トレイの間の距離を拡大する距離広げ装置が設置され、構造が簡単で、操作が便利で、修理が便利で、この設備は隣りにあった二つの衣服を分離させることができ、隣のニットの服は相互に摩擦し合い、ニットの服の表面に毛玉を起こし、衣服の美観に影響するのを回避でき、そのためこの設備は高い使用と普及する価値がある。【選択図】図１
2020179108.tif 000002
【特許請求の範囲】
【請求項１】
正面視で、ニット服の保存ケースであって、ケースを含み、前記ケースの頂端にはケース蓋がヒンジで連結され、前記ケースの中には左右に対称的な収納チャンバが設置され、前記収納チャンバの中には十四組のトレイがスライドできるように設置され、その中、前記トレイの中には距離広げチャンバが設置され、前記距離広げチャンバの中には隣接の前記トレイの間の距離を拡大する距離広げ装置が設置され、前記ケースの中には前記収納チャンバと連通した前後に対称的な距離広げ装置が設置され、前記ケースの中には前記収納チャンバと連通した前後に対称的な昇降チャンバが設置され、前記昇降チャンバの中には前記トレイを上げる昇降装置が設置され、前記ケースの中には翻転チャンバが設置され、前記翻転チャンバの中には前記ケース蓋を回転させる翻転装置が設置され、前記翻転チャンバの底壁の中には主チャンバが設置され、前記主チャンバの中には動力装置が設置され、前記主チャンバの中には前記動力装置の動力の出力位置を制御できる制御装置が設置され、その中、前記動力装置は前記主チャンバの後壁の中に設置されたモーターを含み、前記主チャンバの中には前記モーターと伝動できるように連結された動力軸が設置され、前記動力軸の外壁にはウォームが設置され、前記動力軸の外壁にはスライドできる中空軸が設置され、前記中空軸の外壁には動力歯車が設置されてており、前記動力装置により前記翻転装置翻転装置を回転連動させることができ、前記ケース蓋を開けて前記昇降装置によって前記トレイを上にスライドでき、衣服を保存するのが便利であることを特徴とするニット服の保存ケース。
【請求項２】
前記翻転装置は前記翻転チャンバの中に設置された翻転ネジボルトを含み、前記翻転ネジボルトの前端には前記主チャンバの中に位置し且つ前記動力歯車と噛合した上歯車が設置され、前記翻転チャンバの中にはスライドできるスライダが設置され、前記スライダと前記翻転ネジボルトとがネジ山によって連結され、前記スライダと前記ケース蓋との間が支持棒によってヒンジで連結されており、前記翻転装置は前記ケース蓋を九十度を回転させて保存ケースを開けたり閉じたりすることができることを特徴とする請求項１に記載のニット服の保存ケース。
【請求項３】
前記昇降装置は前記昇降チャンバの中にスライドできるように設置された連結ブロックを含み、前記連結ブロックと最低端の前記トレイとが固定的に連結され、前記主チャンバの底壁の中にはベルトチャンバが設置され、前記主チャンバの中には縦軸が設置され、前記縦軸の頂端には従傘歯車が設置され、前記縦軸の底端には前記ベルトチャンバの中に位置した主プーリが設置され、前記昇降チャンバの中には昇降ネジボルトが設置され、前記連結ブロックと前記昇降ネジボルトの間がネジ山によって連結され、前記昇降ネジボルトの底端には前記ベルトチャンバの中に位置した従プーリが設置され、前記従プーリと前記主プーリとの間には第一ベルトが伝動できるように設置され、前記主チャンバの中には横軸が設置され、前記横軸の後端には前記従傘歯車と噛み合った主傘歯車が設置され、前記横軸の前端には前記動力歯車と噛合した下歯車が設置されており、前記昇降装置は前記収納チャンバの中の前記トレイを前記ケースの頂端の外に上げられることを特徴とする請求項１に記載のニット服の保存ケース。
【請求項４】
前記制御装置は前記主チャンバの中に設置されたウォームホイール軸を含み、前記ウォームホイール軸の右端には前記ウォームと噛合したウォームホイールが設置され、前記ウォームホイール軸の左端には正プーリが設置され、前記主チャンバの中にはカム軸が設置され、前記カム軸の左端には副プーリが設置され、前記副プーリと前記正プーリとの間には第二ベルトが伝動できるように設置され、前記カム軸の右端にはカムが設置され、前記中空軸の外壁には回転できる回転ブロックが設置され、前記回転ブロックと前記主チャンバの頂壁との間には撥条が弾性的に設置されており、前記制御装置は前記動力装置の動力の出力位置を制御でき、この設備の作動状態を制御できることを特徴とする請求項１に記載のニット服の保存ケース。
【請求項５】
前記距離広げ装置は前記収納チャンバの左右両側の端壁の頂部に設置されたラックを含み、前記距離広げ装置の頂部には左右に対称的な頂ブロックがスライドできるように設置され、前記頂ブロックと隣の上側の前記トレイとが引っ掛かって連結され、前記距離広げチャンバの中には距離広げネジボルトが設置され、前記距離広げネジボルトが隣の下側の前記トレイの中に回転できるように設置され、前記距離広げネジボルトのうち前記距離広げチャンバから離れた一端には前記収納チャンバの中に位置し且つ前記ラックと噛合できる距離広げ歯車が設置され、前記距離広げチャンバの中の底部には左右に対称的な底ブロックがスライドできるように設置され、前記底ブロックと前記距離広げネジボルトとがネジ山によって連結され、左側（右側）の前記頂ブロックと右側（左側）の前記底ブロックとが連結棒によってヒンジで連結されており、前記距離広げ装置は隣接の前記トレイの間の間隔を拡大でき、ニットの服を置くことに便利を与えることを特徴とする請求項３に記載のニット服の保存ケース。
【発明の詳細な説明】
【技術分野】
【０００１】
本発明は服の保存の分野を取り上げて、具体的にはニット服の保存ケースである。
【背景技術】
【０００２】
ニットの服は現在着用の幅広い衣服であり、人々に大変好かれ、しかしニットの服が保存する過程中に、隣のニットの服は相互に摩擦し合い、ニットの服の表面に毛玉を起こし、衣服の美観に影響し、そのため、本発明は相隣のニットの服を分離させることができる保存ケースを設計する。
【先行技術文献】
【特許文献】
【０００３】
【特許文献１】中国特許出願公開第１０９３３０３２２号明細書
【発明の概要】
【発明が解決しようとする課題】
【０００４】
本発明の目的はニット服の保存ケースを提供し、現有の技術の上記欠点を克服できる。
【課題を解決するための手段】
【０００５】
本発明のニット服の保存ケースは、ケースを含み、前記ケースの頂端にはケース蓋がヒンジで連結され、前記ケースの中には左右に対称的な収納チャンバが設置され、前記収納チャンバの中には十四組のトレイがスライドできるように設置され、その中、前記トレイの中には距離広げチャンバが設置され、前記距離広げチャンバの中には隣接の前記トレイの間の距離を拡大する距離広げ装置が設置され、前記ケースの中には前記収納チャンバと連通した前後に対称的な距離広げ装置が設置され、前記ケースの中には前記収納チャンバと連通した前後に対称的な昇降チャンバが設置され、前記昇降チャンバの中には前記トレイを上げる昇降装置が設置され、前記ケースの中には翻転チャンバが設置され、前記翻転チャンバの中には前記ケース蓋を回転させる翻転装置が設置され、前記翻転チャンバの底壁の中には主チャンバが設置され、前記主チャンバの中には動力装置が設置され、前記主チャンバの中には前記動力装置の動力の出力位置を制御できる制御装置が設置され、その中、前記動力装置は前記主チャンバの後壁の中に設置されたモーターを含み、前記主チャンバの中には前記モーターと伝動できるように連結された動力軸が設置され、前記動力軸の外壁にはウォームが設置され、前記動力軸の外壁にはスライドできる中空軸が設置され、前記中空軸の外壁には動力歯車が設置されてており、前記動力装置により前記翻転装置翻転装置を回転連動させることができ、前記ケース蓋を開けて前記昇降装置によって前記トレイを上にスライドでき、衣服を保存するのが便利である。
【０００６】
更なる技術方案、前記翻転装置は前記翻転チャンバの中に設置された翻転ネジボルトを含み、前記翻転ネジボルトの前端には前記主チャンバの中に位置し且つ前記動力歯車と噛合した上歯車が設置され、前記翻転チャンバの中にはスライドできるスライダが設置され、前記スライダと前記翻転ネジボルトとがネジ山によって連結され、前記スライダと前記ケース蓋との間が支持棒によってヒンジで連結されており、前記翻転装置は前記ケース蓋を九十度を回転させて保存ケースを開けたり閉じたりすることができる。
【０００７】
更なる技術方案、前記昇降装置は前記昇降チャンバの中にスライドできるように設置された連結ブロックを含み、前記連結ブロックと最低端の前記トレイとが固定的に連結され、前記主チャンバの底壁の中にはベルトチャンバが設置され、前記主チャンバの中には縦軸が設置され、前記縦軸の頂端には従傘歯車が設置され、前記縦軸の底端には前記ベルトチャンバの中に位置した主プーリが設置され、前記昇降チャンバの中には昇降ネジボルトが設置され、前記連結ブロックと前記昇降ネジボルトの間がネジ山によって連結され、前記昇降ネジボルトの底端には前記ベルトチャンバの中に位置した従プーリが設置され、前記従プーリと前記主プーリとの間には第一ベルトが伝動できるように設置され、前記主チャンバの中には横軸が設置され、前記横軸の後端には前記従傘歯車と噛み合った主傘歯車が設置され、前記横軸の前端には前記動力歯車と噛合した下歯車が設置されており、前記昇降装置は前記収納チャンバの中の前記トレイを前記ケースの頂端の外に上げられる。
【０００８】
更なる技術方案、前記制御装置は前記主チャンバの中に設置されたウォームホイール軸を含み、前記ウォームホイール軸の右端には前記ウォームと噛合したウォームホイールが設置され、前記ウォームホイール軸の左端には正プーリが設置され、前記主チャンバの中にはカム軸が設置され、前記カム軸の左端には副プーリが設置され、前記副プーリと前記正プーリとの間には第二ベルトが伝動できるように設置され、前記カム軸の右端にはカムが設置され、前記中空軸の外壁には回転できる回転ブロックが設置され、前記回転ブロックと前記主チャンバの頂壁との間には撥条が弾性的に設置されており、前記制御装置は前記動力装置の動力の出力位置を制御でき、この設備の作動状態を制御できる。
【０００９】
更なる技術方案、前記距離広げ装置は前記収納チャンバの左右両側の端壁の頂部に設置されたラックを含み、前記距離広げ装置の頂部には左右に対称的な頂ブロックがスライドできるように設置され、前記頂ブロックと隣の上側の前記トレイとが引っ掛かって連結され、前記距離広げチャンバの中には距離広げネジボルトが設置され、前記距離広げネジボルトが隣の下側の前記トレイの中に回転できるように設置され、前記距離広げネジボルトのうち前記距離広げチャンバから離れた一端には前記収納チャンバの中に位置し且つ前記ラックと噛合できる距離広げ歯車が設置され、前記距離広げチャンバの中の底部には左右に対称的な底ブロックがスライドできるように設置され、前記底ブロックと前記距離広げネジボルトとがネジ山によって連結され、左側（右側）の前記頂ブロックと右側（左側）の前記底ブロックとが連結棒によってヒンジで連結されており、前記距離広げ装置は隣接の前記トレイの間の間隔を拡大でき、ニットの服を置くことに便利を与える。
【発明の効果】
【００１０】
本発明の有益な効果は：本発明は構造が簡単で、操作が便利で、修理が便利で、この設備は隣りにあった二つの衣服を分離させることができ、隣のニットの服は相互に摩擦し合い、ニットの服の表面に毛玉を起こし、衣服の美観に影響するのを回避でき、そのためこの設備は高い使用と普及する価値がある。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のニット服の保存ケースの全体構成模式図
【図２】図２は図１のＡーＡの構成模式図
【図３】図３は図１のＢーＢの構成模式図
【図４】図４は図２のＣの構成模式図
【図５】図５は図３のＤの構成模式図
【発明を実施するための形態】
【００１３】
図１〜５に示されるように、本発明のニット服の保存ケースは、ケース１２を含み、前記ケース１２の頂端にはケース蓋１１がヒンジで連結され、前記ケース１２の中には左右に対称的な収納チャンバ１３が設置され、前記収納チャンバ１３の中には十四組のトレイ１４がスライドできるように設置され、その中、前記トレイ１４の中には距離広げチャンバ５４が設置され、前記距離広げチャンバ５４の中には隣接の前記トレイ１４の間の距離を拡大する距離広げ装置１００が設置され、前記ケース１２の中には前記収納チャンバ１３と連通した前後に対称的な距離広げ装置１００が設置され、前記ケース１２の中には前記収納チャンバ１３と連通した前後に対称的な昇降チャンバ２８が設置され、前記昇降チャンバ２８の中には前記トレイ１４を上げる昇降装置２００が設置され、前記ケース１２の中には翻転チャンバ２０が設置され、前記翻転チャンバ２０の中には前記ケース蓋１１を回転させる翻転装置３００が設置され、前記翻転チャンバ２０の底壁の中には主チャンバ２７が設置され、前記主チャンバ２７の中には動力装置４００が設置され、前記主チャンバ２７の中には前記動力装置４００の動力の出力位置を制御できる制御装置５００が設置され、その中、前記動力装置４００は前記主チャンバ２７の後壁の中に設置されたモーター４２を含み、前記主チャンバ２７の中には前記モーター４２と伝動できるように連結された動力軸２５が設置され、前記動力軸２５の外壁にはウォーム２６が設置され、前記動力軸２５の外壁にはスライドできる中空軸４１が設置され、前記中空軸４１の外壁には動力歯車２４が設置されてており、前記動力装置４００により前記翻転装置３００翻転装置３００を回転連動させることができ、前記ケース蓋１１を開けて前記昇降装置２００によって前記トレイ１４を上にスライドでき、衣服を保存するのが便利である。
【００１４】
有益なように、前記翻転装置３００は前記翻転チャンバ２０の中に設置された翻転ネジボルト２１を含み、前記翻転ネジボルト２１の前端には前記主チャンバ２７の中に位置し且つ前記動力歯車２４と噛合した上歯車２３が設置され、前記翻転チャンバ２０の中にはスライドできるスライダ２２が設置され、前記スライダ２２と前記翻転ネジボルト２１とがネジ山によって連結され、前記スライダ２２と前記ケース蓋１１との間が支持棒１９によってヒンジで連結されており、前記翻転装置３００は前記ケース蓋１１を九十度を回転させて保存ケースを開けたり閉じたりすることができる。
【００１５】
有益なように、前記昇降装置２００は前記昇降チャンバ２８の中にスライドできるように設置された連結ブロック１６を含み、前記連結ブロック１６と最低端の前記トレイ１４とが固定的に連結され、前記主チャンバ２７の底壁の中にはベルトチャンバ１７が設置され、前記主チャンバ２７の中には縦軸３７が設置され、前記縦軸３７の頂端には従傘歯車３８が設置され、前記縦軸３７の底端には前記ベルトチャンバ１７の中に位置した主プーリ３６が設置され、前記昇降チャンバ２８の中には昇降ネジボルト１５が設置され、前記連結ブロック１６と前記昇降ネジボルト１５の間がネジ山によって連結され、前記昇降ネジボルト１５の底端には前記ベルトチャンバ１７の中に位置した従プーリ１８が設置され、前記従プーリ１８と前記主プーリ３６との間には第一ベルト３５が伝動できるように設置され、前記主チャンバ２７の中には横軸４０が設置され、前記横軸４０の後端には前記従傘歯車３８と噛み合った主傘歯車３９が設置され、前記横軸４０の前端には前記動力歯車２４と噛合した下歯車３４が設置されており、前記昇降装置２００は前記収納チャンバ１３の中の前記トレイ１４を前記ケース１２の頂端の外に上げられる。
【００１６】
有益なように、前記制御装置５００は前記主チャンバ２７の中に設置されたウォームホイール軸３０を含み、前記ウォームホイール軸３０の右端には前記ウォーム２６と噛合したウォームホイール２９が設置され、前記ウォームホイール軸３０の左端には正プーリ４４が設置され、前記主チャンバ２７の中にはカム軸４６が設置され、前記カム軸４６の左端には副プーリ４５が設置され、前記副プーリ４５と前記正プーリ４４との間には第二ベルト３１が伝動できるように設置され、前記カム軸４６の右端にはカム３２が設置され、前記中空軸４１の外壁には回転できる回転ブロック３３が設置され、前記回転ブロック３３と前記主チャンバ２７の頂壁との間には撥条４３が弾性的に設置されており、前記制御装置５００は前記動力装置４００の動力の出力位置を制御でき、この設備の作動状態を制御できる。
【００１７】
有益なように、前記距離広げ装置１００は前記収納チャンバ１３の左右両側の端壁の頂部に設置されたラック４７を含み、前記距離広げ装置５４の頂部には左右に対称的な頂ブロック４８がスライドできるように設置され、前記頂ブロック４８と隣の上側の前記トレイ１４とが引っ掛かって連結され、前記距離広げチャンバ５４の中には距離広げネジボルト５２が設置され、前記距離広げネジボルト５２が隣の下側の前記トレイ１４の中に回転できるように設置され、前記距離広げネジボルト５２のうち前記距離広げチャンバ５４から離れた一端には前記収納チャンバ１３の中に位置し且つ前記ラック４７と噛合できる距離広げ歯車５１が設置され、前記距離広げチャンバ５４の中の底部には左右に対称的な底ブロック５３がスライドできるように設置され、前記底ブロック５３と前記距離広げネジボルト５２とがネジ山によって連結され、左側（右側）の前記頂ブロック４８と右側（左側）の前記底ブロック５３とが連結棒５０によってヒンジで連結されており、前記距離広げ装置１００は隣接の前記トレイ１４の間の間隔を拡大でき、ニットの服を置くことに便利を与える。
【００１８】
この設備を使用する時、モーター４２が作動し始めて動力軸２５によってウォーム２６を回転連動させ、同時に、動力軸２５が中空軸４１によって動力歯車２４を回転連動させ、それにより動力歯車２４が上歯車２３と、翻転ネジボルト２１とによってスライダ２２を回転連動させ、それにより支持棒１９によってケース蓋１１を回転連動させ、同時に、ウォーム２６がウォームホイール２９と、ウォームホイール軸３０と、正プーリ４４と、副プーリ４５と、カム軸４６とによってカム３２を回転連動させ、ケース蓋１１が九十度に回転する時、カム３２と回転ブロック３３とが接触して回転ブロック３３と中空軸４１とによって動力歯車２４を後にスライド連動させ、動力歯車２４と下歯車３４とが噛合しており、それにより動力歯車２４が下歯車３４と、横軸４０と、主傘歯車３９と、従傘歯車と、縦軸３７と、主プーリ３６と、従プーリ１８と、昇降ネジボルト１５によって連結ブロック１６を上にスライド連動させ、それによりトレイ１４を上にスライド連動させ、トレイ１４が上にスライドする過程中に、距離広げ歯車５１とラック４７とが噛合し、それによりラック４７が距離広げ歯車５１と、距離広げネジボルト５２とによって底ブロック５３を距離広げチャンバ５４の中線の方向にスライド連動させ、それにより連結棒５０によって頂ブロック４８を距離広げチャンバ５４の中線の方向にスライド連動させ、隣接の二つのトレイ１４の間の間隔が増え、
本発明のケースを閉じる時、モーター４２が反方向に作動してトレイ１４を下にスライド連動させ、ケース蓋１１を反方向に回転連動させ、本発明のケースを閉じる。
【００１９】
本発明の有益な効果は：本発明は構造が簡単で、操作が便利で、修理が便利で、この設備は隣りにあった二つの衣服を分離させることができ、隣のニットの服は相互に摩擦し合い、ニットの服の表面に毛玉を起こし、衣服の美観に影響するのを回避でき、そのためこの設備は高い使用と普及する価値がある。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020179108.tif 000003
【図２】
2020179108.tif 000004
【図３】
2020179108.tif 000005
【図４】
2020179108.tif 000006
【図５】
2020179108.tif 000007
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
正面視で、ニット服の保存ケースであって、ケースを含み、前記ケースの頂端にはケース蓋がヒンジで連結され、前記ケースの中には左右に対称的な収納チャンバが設置され、前記収納チャンバの中には十四組のトレイがスライドできるように設置され、その中、前記トレイの中には距離広げチャンバが設置され、前記距離広げチャンバの中には隣接の前記トレイの間の距離を拡大する距離広げ装置が設置され、前記ケースの中には前記収納チャンバと連通した前後に対称的な昇降チャンバが設置され、前記昇降チャンバの中には前記トレイを上げる昇降装置が設置され、前記ケースの中には翻転チャンバが設置され、前記翻転チャンバの中には前記ケース蓋を回転させる翻転装置が設置され、前記翻転チャンバの下側内壁の中には主チャンバが設置され、前記主チャンバの中には動力装置が設置され、前記主チャンバの中には制御装置が設置され、その中、前記動力装置は前記主チャンバの後壁の中に設置されたモーターを含み、前記主チャンバの中には前記モーターと伝動できるように連結された動力軸が設置され、前記動力軸の外壁にはウォームが設置され、前記動力軸の外壁にはスライドできる中空軸が設置され、前記中空軸の外壁には動力歯車が設置されており、前記動力装置により前記翻転装置を回転連動させることができ、前記ケース蓋を開けて前記昇降装置によって前記トレイを上にスライドでき、衣服を保存するのが便利であることを特徴とするニット服の保存ケース。
【請求項２】
前記翻転装置は前記翻転チャンバの中に設置された翻転ネジボルトを含み、前記翻転ネジボルトの前端には前記主チャンバの中に位置し且つ前記動力歯車と噛合した上歯車が設置され、前記翻転チャンバの中にはスライドできるスライダが設置され、前記スライダと前記翻転ネジボルトとがネジ山によって連結され、前記スライダと前記ケース蓋との間が支持棒によってヒンジで連結されており、前記翻転装置は前記ケース蓋を九十度を回転させて保存ケースを開けたり閉じたりすることができることを特徴とする請求項１に記載のニット服の保存ケース。
【請求項３】
前記昇降装置は前記昇降チャンバの中にスライドできるように設置された連結ブロックを含み、前記連結ブロックと最低端の前記トレイとが固定的に連結され、前記主チャンバの下側内壁の中にはベルトチャンバが設置され、前記主チャンバの中には縦軸が設置され、前記縦軸の頂端には従傘歯車が設置され、前記縦軸の底端には前記ベルトチャンバの中に位置した主プーリが設置され、前記昇降チャンバの中には昇降ネジボルトが設置され、前記連結ブロックと前記昇降ネジボルトの間がネジ山によって連結され、前記昇降ネジボルトの底端には前記ベルトチャンバの中に位置した従プーリが設置され、前記従プーリと前記主プーリとの間には第一ベルトが伝動できるように設置され、前記主チャンバの中には横軸が設置され、前記横軸の後端には前記従傘歯車と噛み合った主傘歯車が設置され、前記横軸の前端には前記動力歯車と噛合した下歯車が設置されており、前記昇降装置は前記収納チャンバの中の前記トレイを前記ケースの頂端の外に上げられることを特徴とする請求項１に記載のニット服の保存ケース。
【請求項４】
前記制御装置は前記主チャンバの中に設置されたウォームホイール軸を含み、前記ウォームホイール軸の右端には前記ウォームと噛合したウォームホイールが設置され、前記ウォームホイール軸の左端には正プーリが設置され、前記主チャンバの中にはカム軸が設置され、前記カム軸の左端には副プーリが設置され、前記副プーリと前記正プーリとの間には第二ベルトが伝動できるように設置され、前記カム軸の右端にはカムが設置され、前記中空軸の外壁には回転できる回転ブロックが設置され、前記回転ブロックと前記主チャンバの頂壁との間には撥条が弾性的に設置されていることを特徴とする請求項１に記載のニット服の保存ケース。
【請求項５】
前記距離広げ装置は前記収納チャンバの前後両側内壁に設置されたラックを含み、前記距離広げ装置の頂部には前後に対称的な頂ブロックがスライドできるように設置され、前記頂ブロックと上側に隣接する前記トレイとが引っ掛かって連結され、前記距離広げチャンバの中には距離広げネジボルトが設置され、前記距離広げネジボルトが下側に隣接する前記トレイの中に回転できるように設置され、前記距離広げネジボルトのうち前記距離広げチャンバから離れた一端には前記収納チャンバの中に位置し且つ前記ラックと噛合できる距離広げ歯車が設置され、前記トレイが上にスライドする過程中に、前記距離広げ歯車と前記ラックとが噛合し、一番上側にある前記距離広げ装置を調整し、前記距離広げチャンバの中の底部には前後に対称的な底ブロックがスライドできるように設置され、前記底ブロックと前記距離広げネジボルトとがネジ山によって連結され、後側（前側）の前記頂ブロックと前側（後側）の前記底ブロックとが連結棒によってヒンジで連結されており、前記距離広げ装置は隣接の前記トレイの間の間隔を拡大でき、ニットの服を置くことに便利を与えることを特徴とする請求項３に記載のニット服の保存ケース。
【手続補正２】
【補正対象書類名】明細書
【補正対象項目名】全文
【補正方法】変更
【補正の内容】
【発明の詳細な説明】
【技術分野】
【０００１】
本発明は服の保存の分野を取り上げて、具体的にはニット服の保存ケースである。
【背景技術】
【０００２】
ニットの服は現在着用の幅広い衣服であり、人々に大変好かれ、しかしニットの服が保存する過程中に、隣のニットの服は相互に摩擦し合い、ニットの服の表面に毛玉を起こし、衣服の美観に影響し、そのため、本発明は相隣のニットの服を分離させることができる保存ケースを設計する。
【先行技術文献】
【特許文献】
【０００３】
【特許文献１】中国特許出願公開第１０９３３０３２２号明細書
【発明の概要】
【発明が解決しようとする課題】
【０００４】
本発明の目的はニット服の保存ケースを提供し、現有の技術の上記欠点を克服できる。
【課題を解決するための手段】
【０００５】
本発明のニット服の保存ケースは、ケースを含み、前記ケースの頂端にはケース蓋がヒンジで連結され、前記ケースの中には左右に対称的な収納チャンバが設置され、前記収納チャンバの中には十四組のトレイがスライドできるように設置され、その中、前記トレイの中には距離広げチャンバが設置され、前記距離広げチャンバの中には隣接の前記トレイの間の距離を拡大する距離広げ装置が設置され、前記ケースの中には前記収納チャンバと連通した前後に対称的な昇降チャンバが設置され、前記昇降チャンバの中には前記トレイを上げる昇降装置が設置され、前記ケースの中には翻転チャンバが設置され、前記翻転チャンバの中には前記ケース蓋を回転させる翻転装置が設置され、前記翻転チャンバの下側内壁の中には主チャンバが設置され、前記主チャンバの中には動力装置が設置され、前記主チャンバの中には制御装置が設置され、その中、前記動力装置は前記主チャンバの後壁の中に設置されたモーターを含み、前記主チャンバの中には前記モーターと伝動できるように連結された動力軸が設置され、前記動力軸の外壁にはウォームが設置され、前記動力軸の外壁にはスライドできる中空軸が設置され、前記中空軸の外壁には動力歯車が設置されており、前記動力装置により前記翻転装置を回転連動させることができ、前記ケース蓋を開けて前記昇降装置によって前記トレイを上にスライドでき、衣服を保存するのが便利である。
【０００６】
更なる技術方案、前記翻転装置は前記翻転チャンバの中に設置された翻転ネジボルトを含み、前記翻転ネジボルトの前端には前記主チャンバの中に位置し且つ前記動力歯車と噛合した上歯車が設置され、前記翻転チャンバの中にはスライドできるスライダが設置され、前記スライダと前記翻転ネジボルトとがネジ山によって連結され、前記スライダと前記ケース蓋との間が支持棒によってヒンジで連結されており、前記翻転装置は前記ケース蓋を九十度を回転させて保存ケースを開けたり閉じたりすることができる。
【０００７】
更なる技術方案、前記昇降装置は前記昇降チャンバの中にスライドできるように設置された連結ブロックを含み、前記連結ブロックと最低端の前記トレイとが固定的に連結され、前記主チャンバの下側内壁の中にはベルトチャンバが設置され、前記主チャンバの中には縦軸が設置され、前記縦軸の頂端には従傘歯車が設置され、前記縦軸の底端には前記ベルトチャンバの中に位置した主プーリが設置され、前記昇降チャンバの中には昇降ネジボルトが設置され、前記連結ブロックと前記昇降ネジボルトの間がネジ山によって連結され、前記昇降ネジボルトの底端には前記ベルトチャンバの中に位置した従プーリが設置され、前記従プーリと前記主プーリとの間には第一ベルトが伝動できるように設置され、前記主チャンバの中には横軸が設置され、前記横軸の後端には前記従傘歯車と噛み合った主傘歯車が設置され、前記横軸の前端には前記動力歯車と噛合した下歯車が設置されており、前記昇降装置は前記収納チャンバの中の前記トレイを前記ケースの頂端の外に上げられる。
【０００８】
更なる技術方案、前記制御装置は前記主チャンバの中に設置されたウォームホイール軸を含み、前記ウォームホイール軸の右端には前記ウォームと噛合したウォームホイールが設置され、前記ウォームホイール軸の左端には正プーリが設置され、前記主チャンバの中にはカム軸が設置され、前記カム軸の左端には副プーリが設置され、前記副プーリと前記正プーリとの間には第二ベルトが伝動できるように設置され、前記カム軸の右端にはカムが設置され、前記中空軸の外壁には回転できる回転ブロックが設置され、前記回転ブロックと前記主チャンバの頂壁との間には撥条が弾性的に設置されている。
【０００９】
更なる技術方案、前記距離広げ装置は前記収納チャンバの前後両側内壁に設置されたラックを含み、前記距離広げ装置の頂部には前後に対称的な頂ブロックがスライドできるように設置され、前記頂ブロックと上側に隣接する前記トレイとが引っ掛かって連結され、前記距離広げチャンバの中には距離広げネジボルトが設置され、前記距離広げネジボルトが下側に隣接する前記トレイの中に回転できるように設置され、、前記距離広げネジボルトのうち前記距離広げチャンバから離れた一端には前記収納チャンバの中に位置し且つ前記ラックと噛合できる距離広げ歯車が設置され、前記トレイが上にスライドする過程中に、前記距離広げ歯車と前記ラックとが噛合し、一番上側にある前記距離広げ装置を調整し、前記距離広げチャンバの中の底部には前後に対称的な底ブロックがスライドできるように設置され、前記底ブロックと前記距離広げネジボルトとがネジ山によって連結され、後側（前側）の前記頂ブロックと前側（後側）の前記底ブロックとが連結棒によってヒンジで連結されており、前記距離広げ装置は隣接の前記トレイの間の間隔を拡大でき、ニットの服を置くことに便利を与える。
【発明の効果】
【００１０】
本発明の有益な効果は：本発明は構造が簡単で、操作が便利で、修理が便利で、この設備は隣りにあった二つの衣服を分離させることができ、隣のニットの服は相互に摩擦し合い、ニットの服の表面に毛玉を起こし、衣服の美観に影響するのを回避でき、そのためこの設備は高い使用と普及する価値がある。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のニット服の保存ケースの全体構成模式図
【図２】図２は図１のＡーＡの構成模式図
【図３】図３は図１のＢーＢの構成模式図
【図４】図４は図２のＣの構成模式図
【図５】図５は図３のＤの構成模式図
【発明を実施するための形態】
【００１３】
図１〜５に示されるように、本発明のニット服の保存ケースは、ケース１２を含み、前記ケース１２の頂端にはケース蓋１１がヒンジで連結され、前記ケース１２の中には左右に対称的な収納チャンバ１３が設置され、前記収納チャンバ１３の中には十四組のトレイ１４がスライドできるように設置され、その中、前記トレイ１４の中には距離広げチャンバ５４が設置され、前記距離広げチャンバ５４の中には隣接の前記トレイ１４の間の距離を拡大する距離広げ装置１００が設置され、前記ケース１２の中には前記収納チャンバ１３と連通した前後に対称的な昇降チャンバ２８が設置され、前記昇降チャンバ２８の中には前記トレイ１４を上げる昇降装置２００が設置され、前記ケース１２の中には翻転チャンバ２０が設置され、前記翻転チャンバ２０の中には前記ケース蓋１１を回転させる翻転装置３００が設置され、前記翻転チャンバ２０の下側内壁の中には主チャンバ２７が設置され、前記主チャンバ２７の中には動力装置４００が設置され、前記主チャンバ２７の中には制御装置５００が設置され、その中、前記動力装置４００は前記主チャンバ２７の後壁の中に設置されたモーター４２を含み、前記主チャンバ２７の中には前記モーター４２と伝動できるように連結された動力軸２５が設置され、前記動力軸２５の外壁にはウォーム２６が設置され、前記動力軸２５の外壁にはスライドできる中空軸４１が設置され、前記中空軸４１の外壁には動力歯車２４が設置されており、前記動力装置４００により前記翻転装置３００を回転連動させることができ、前記ケース蓋１１を開けて前記昇降装置２００によって前記トレイ１４を上にスライドでき、衣服を保存するのが便利である。
【００１４】
有益なように、前記翻転装置３００は前記翻転チャンバ２０の中に設置された翻転ネジボルト２１を含み、前記翻転ネジボルト２１の前端には前記主チャンバ２７の中に位置し且つ前記動力歯車２４と噛合した上歯車２３が設置され、前記翻転チャンバ２０の中にはスライドできるスライダ２２が設置され、前記スライダ２２と前記翻転ネジボルト２１とがネジ山によって連結され、前記スライダ２２と前記ケース蓋１１との間が支持棒１９によってヒンジで連結されており、前記翻転装置３００は前記ケース蓋１１を九十度を回転させて保存ケースを開けたり閉じたりすることができる。
【００１５】
有益なように、前記昇降装置２００は前記昇降チャンバ２８の中にスライドできるように設置された連結ブロック１６を含み、前記連結ブロック１６と最低端の前記トレイ１４とが固定的に連結され、前記主チャンバ２７の下側内壁の中にはベルトチャンバ１７が設置され、前記主チャンバ２７の中には縦軸３７が設置され、前記縦軸３７の頂端には従傘歯車３８が設置され、前記縦軸３７の底端には前記ベルトチャンバ１７の中に位置した主プーリ３６が設置され、前記昇降チャンバ２８の中には昇降ネジボルト１５が設置され、前記連結ブロック１６と前記昇降ネジボルト１５の間がネジ山によって連結され、前記昇降ネジボルト１５の底端には前記ベルトチャンバ１７の中に位置した従プーリ１８が設置され、前記従プーリ１８と前記主プーリ３６との間には第一ベルト３５が伝動できるように設置され、前記主チャンバ２７の中には横軸４０が設置され、前記横軸４０の後端には前記従傘歯車３８と噛み合った主傘歯車３９が設置され、前記横軸４０の前端には前記動力歯車２４と噛合した下歯車３４が設置されており、前記昇降装置２００は前記収納チャンバ１３の中の前記トレイ１４を前記ケース１２の頂端の外に上げられる。
【００１６】
有益なように、前記制御装置５００は前記主チャンバ２７の中に設置されたウォームホイール軸３０を含み、前記ウォームホイール軸３０の右端には前記ウォーム２６と噛合したウォームホイール２９が設置され、前記ウォームホイール軸３０の左端には正プーリ４４が設置され、前記主チャンバ２７の中にはカム軸４６が設置され、前記カム軸４６の左端には副プーリ４５が設置され、前記副プーリ４５と前記正プーリ４４との間には第二ベルト３１が伝動できるように設置され、前記カム軸４６の右端にはカム３２が設置され、前記中空軸４１の外壁には回転できる回転ブロック３３が設置され、前記回転ブロック３３と前記主チャンバ２７の頂壁との間には撥条４３が弾性的に設置されている。
【００１７】
有益なように、前記距離広げ装置１００は前記収納チャンバ１３の前後両側内壁に設置されたラック４７を含み、前記距離広げ装置５４の頂部には前後に対称的な頂ブロック４８がスライドできるように設置され、前記頂ブロック４８と上側に隣接する前記トレイ１４とが引っ掛かって連結され、前記距離広げチャンバ５４の中には距離広げネジボルト５２が設置され、前記距離広げネジボルト５２が下側に隣接する前記トレイ１４の中に回転できるように設置され、前記距離広げネジボルト５２のうち前記距離広げチャンバ５４から離れた一端には前記収納チャンバ１３の中に位置し且つ前記ラック４７と噛合できる距離広げ歯車５１が設置され、前記トレイが上にスライドする過程中に、前記距離広げ歯車５１と前記ラック４７とが噛合し、一番上側にある前記距離広げ装置を調整し、前記距離広げチャンバ５４の中の底部には前後に対称的な底ブロック５３がスライドできるように設置され、前記底ブロック５３と前記距離広げネジボルト５２とがネジ山によって連結され、後側（前側）の前記頂ブロック４８と前側（後側）の前記底ブロック５３とが連結棒５０によってヒンジで連結されており、前記距離広げ装置１００は隣接の前記トレイ１４の間の間隔を拡大でき、ニットの服を置くことに便利を与える。
【００１８】
この設備を使用する時、モーター４２が作動し始めて動力軸２５によってウォーム２６を回転連動させ、同時に、動力軸２５が中空軸４１によって動力歯車２４を回転連動させ、それにより動力歯車２４が上歯車２３と、翻転ネジボルト２１とによってスライダ２２を回転連動させ、それにより支持棒１９によってケース蓋１１を回転連動させ、同時に、ウォーム２６がウォームホイール２９と、ウォームホイール軸３０と、正プーリ４４と、副プーリ４５と、カム軸４６とによってカム３２を回転連動させ、ケース蓋１１が九十度に回転する時、カム３２と回転ブロック３３とが接触して回転ブロック３３と中空軸４１とによって動力歯車２４を後にスライド連動させ、動力歯車２４と下歯車３４とが噛合しており、それにより動力歯車２４が下歯車３４と、横軸４０と、主傘歯車３９と、従傘歯車と、縦軸３７と、主プーリ３６と、従プーリ１８と、昇降ネジボルト１５によって連結ブロック１６を上にスライド連動させ、それによりトレイ１４を上にスライド連動させ、トレイ１４が上にスライドする過程中に、距離広げ歯車５１とラック４７とが噛合し、それによりラック４７が距離広げ歯車５１と、距離広げネジボルト５２とによって底ブロック５３を距離広げチャンバ５４の中線の方向にスライド連動させ、それにより連結棒５０によって頂ブロック４８を距離広げチャンバ５４の中線の方向にスライド連動させ、隣接の二つのトレイ１４の間の間隔が増え、
本発明のケースを閉じる時、モーター４２が反方向に作動してトレイ１４を下にスライド連動させ、ケース蓋１１を反方向に回転連動させ、本発明のケースを閉じる。
【００１９】
本発明の有益な効果は：本発明は構造が簡単で、操作が便利で、修理が便利で、この設備は隣りにあった二つの衣服を分離させることができ、隣のニットの服は相互に摩擦し合い、ニットの服の表面に毛玉を起こし、衣服の美観に影響するのを回避でき、そのためこの設備は高い使用と普及する価値がある。
【００２０】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。